(57)【特許請求の範囲】
【請求項１】
エンジンの排気通路に配設され、排ガス中の窒素酸化物を還元剤により還元浄化する還元触媒と、
前記還元剤の前駆体を貯蔵するタンクと、
前記タンク内に貯蔵された前記還元剤の前駆体を前記還元触媒に供給する還元剤噴射供給装置と、
前記タンク内に貯蔵された前記還元剤の前駆体の残量を検出する還元剤残量検出装置と、
前記エンジンの運転状態に応じて前記還元剤噴射供給装置を作動させる還元剤噴射制御と、前記還元剤残量検出装置により検出した前記還元剤の前駆体の残量が所定量以下になると警報を発する警告制御とを実行する第１制御装置とを備えた作業車両の排ガス後処理装置において、
前記作業車両の車体の位置を検出するＧＰＳ装置と、
前記ＧＰＳ装置により検出した車体の位置情報に基づいて、前記車体が排ガス規制地域にあるか否かを判定し、前記車体が排ガス規制地域にない場合は、前記第１制御装置による前記還元剤噴射制御及び前記警告制御を無効にする第２制御装置とを備え、
前記第２制御装置は、前記車体が排ガス規制地域にない場合は、前記還元剤残量検出装置により検出した前記還元剤の前駆体の残量がゼロになった後に前記第１制御装置による前記還元剤噴射制御を無効にすることを特徴とする作業車両の排ガス後処理装置。
【請求項２】
エンジンにより駆動される油圧ポンプと、この油圧ポンプから吐出される圧油によって駆動される複数の油圧アクチュエータを含む油圧システムを備えた作業車両に設けられ、
前記エンジンの排気通路に配設され、排ガス中の窒素酸化物を還元剤により還元浄化する還元触媒と、
前記還元剤の前駆体を貯蔵するタンクと、
前記タンク内に貯蔵された前記還元剤の前駆体を前記還元触媒に供給する還元剤噴射供給装置と、
前記タンク内に貯蔵された前記還元剤の前駆体の残量を検出する還元剤残量検出装置と、
前記エンジンの運転状態に応じて前記還元剤噴射供給装置を作動させる還元剤噴射制御と、前記還元剤残量検出装置により検出した前記還元剤の前駆体の残量が所定量以下になると警報を発する警告制御とを実行する第１制御装置とを備えた作業車両の排ガス後処理装置において、
前記作業車両の車体の位置を検出するＧＰＳ装置と、
前記ＧＰＳ装置により検出した車体の位置情報に基づいて、前記車体が排ガス規制地域にあるか否かを判定し、前記車体が排ガス規制地域にない場合は、前記第１制御装置による前記還元剤噴射制御及び前記警告制御を無効にする第２制御装置とを備え、
前記作業車両は、前記複数の油圧アクチュエータによってそれぞれ駆動される下部走行体、上部旋回体及びフロント作業機を有する油圧ショベルであり、
前記第１制御装置は、前記還元剤残量検出装置により検出した前記還元剤の前駆体の残量が所定量以下になると前記作業車両の前記複数の油圧アクチュエータのうち一部の油圧アクチュエータのみの動作を制限して前記フロント作業機の動作のみを禁止するとともに、前記エンジンの再始動を禁止する運転制限制御と、前記エンジン及び前記油圧システムが前記運転制限制御の状態にあることを警報する警告制御とを更に実行し、
前記第２制御装置は、前記車体が排ガス規制地域にない場合は、前記第１制御装置による前記還元剤噴射制御及び警告制御と前記運転制限制御を無効にすることを特徴とする作業車両の排ガス後処理装置。
【発明の詳細な説明】
【技術分野】
【０００１】
本発明は作業車両の排ガス後処理装置に係わり、特に、油圧ショベル等の建設機械やホイールローダ等の積み荷機械等の作業車両において、還元剤を用いて排ガス中の窒素酸化物（ＮＯｘ）を還元浄化する排ガス後処理装置に関する。
【背景技術】
【０００２】
車両に搭載されるエンジンの排ガス中に含まれるＮＯｘを除去する排ガス後処理装置として、特許文献１に記載のものが知られている。この排ガス後処理装置は、還元剤噴射制御により、エンジンの排気管に配設された還元触媒の排気上流側に、エンジンの運転状態に応じて還元剤（アンモニア）の前駆体である尿素水溶液を噴射供給し、還元触媒上で排ガス中のＮＯｘと還元剤とを還元反応させて、ＮＯｘを無害成分に浄化処理するものである。
【０００３】
また、特許文献１記載の排ガス後処理装置では、還元剤の前駆体である尿素水溶液の残量が少なくなった際には、警告制御によりユーザに対して警告を行うとともに、運転制限制御によりエンジン制御を制限して排ガス中のＮＯｘ濃度を低減する処理を行い、尿素水溶液の減少度合いを抑制している。
【０００４】
【特許文献１】特開２００６−２２６１７１号公報
【発明の開示】
【発明が解決しようとする課題】
【０００５】
しかしながら、上記従来技術には次のような問題がある。
【０００６】
特許文献１記載の排ガス後処理装置においては、エンジンの運転状態に応じて尿素水溶液を噴射供給する還元剤噴射制御を行うことで還元触媒上で排ガス中のＮＯｘを無害化するとともに、還元剤（アンモニア）の前駆体である尿素水溶液の残量が少なくなった際には警告制御により警告を行うとともに、ＮＯｘ濃度低減のための運転制限制御を行い、尿素水溶液の減少度合いを抑制している。
【０００７】
ところで、油圧ショベル等の建設機械やホイールローダ等の積み荷機械等の作業車両においては、ある１つ車両が、中古車として、排ガス規制地域と排ガス未規制地域を行き来する場合がある。このような場合は、尿素水溶液の入手が困難である排ガス未規制地域においては、還元剤噴射制御や警告制御、運転制限制御がそのまま行われると、オペレータの操作や作業に影響を及ぼす。例えば、尿素水の入手が困難である状況下において尿素水溶液の残量が少なくなった際に警告を行うことは、オペレータを困惑させ、オペレータは快適な作業を行うことができなくなる。また、尿素水の入手が困難である状況下で運転制限制御を行うことは、作業車両の動作が影響を受け、効率良く作業を行えなくなる。
【０００８】
本発明の第１の目的は、作業車両が排ガス規制地域と排ガス未規制地域を行き来する場合であっても、排ガス規制地域にあるときは還元剤噴射制御や警告制御等の排ガス浄化に係わる制御を適切に行わせ、尿素水溶液等の還元剤の前駆体が困難である排ガス未規制地域においてはそれらの制御を停止させ、オペレータに快適な作業を行わせることができる作業車両の排ガス後処理装置を提供することである。
【０００９】
本発明の第２の目的は、作業車両が排ガス規制地域と排ガス未規制地域を行き来する場合であっても、排ガス規制地域にあるときは還元剤噴射制御や警告制御、運転制限制御等の排ガス浄化に係わる制御を適切に行わせ、尿素水溶液等の還元剤の前駆体が困難である排ガス未規制地域においてはそれらの制御を停止させ、オペレータに快適な作業を行わせることができるとともに、運転制限制御の影響なく効率良く作業を行うことができる作業車両の排ガス後処理装置を提供することである。
【課題を解決するための手段】
【００１０】
（１）上記第１の目的を達成するために、本発明は、エンジンの排気通路に配設され、排ガス中の窒素酸化物を還元剤により還元浄化する還元触媒と、前記還元剤の前駆体を貯蔵するタンクと、前記タンク内に貯蔵された前記還元剤の前駆体を前記還元触媒に供給する還元剤噴射供給装置と、前記タンク内に貯蔵された前記還元剤の前駆体の残量を検出する還元剤残量検出装置と、前記エンジンの運転状態に応じて前記還元剤噴射供給装置を作動させる還元剤噴射制御と、前記還元剤残量検出装置により検出した前記還元剤の前駆体の残量が所定量以下になると警報を発する警告制御とを実行する制御装置とを備えた作業車両の排ガス後処理装置において、前記作業車両の車体の位置を検出するＧＰＳ装置と、前記ＧＰＳ装置により検出した車体の位置情報に基づいて、前記車体が排ガス規制地域にあるか否かを判定し、前記車体が排ガス規制地域にない場合は、前記第１制御装置による前記還元剤噴射制御及び前記警告制御を無効にする第２制御装置とを備え、前記第２制御装置は、前記車体が排ガス規制地域にない場合は、前記還元剤残量検出装置により検出した前記還元剤の前駆体の残量がゼロになった後に前記第１制御装置による前記還元剤噴射制御を無効にするものとする。
【００１１】
このようにＧＰＳ装置と第２制御装置を設け、車体が排ガス規制地域にない場合は第１制御装置による還元剤噴射制御及び警告制御を無効にすることにより、作業車両が排ガス規制地域と排ガス未規制地域を行き来する場合であっても、排ガス規制地域にあるときは還元剤噴射制御や警告制御等の排ガス浄化に係わる制御を適切に行わせ、尿素水溶液等の還元剤の前駆体の入手が困難である排ガス未規制地域においてはそれらの制御を停止させ、オペレータに快適な作業を行わせることができる。
【００１３】
また、車体が排ガス未規制地域にある場合でも、タンク内に還元剤の前駆体が存在する間は、還元剤噴射制御により還元触媒に供給された還元剤により排ガス中の窒素酸化物（ＮＯｘ）を還元浄化することができる。
【００１４】
（２）また、上記第２の目的を達成するために、本発明は、エンジンにより駆動される油圧ポンプと、この油圧ポンプから吐出される圧油によって駆動される複数の油圧アクチュエータを含む油圧システムを備えた作業車両に設けられ、前記エンジンの排気通路に配設され、排ガス中の窒素酸化物を還元剤により還元浄化する還元触媒と、前記還元剤の前駆体を貯蔵するタンクと、前記タンク内に貯蔵された前記還元剤の前駆体を前記還元触媒に供給する還元剤噴射供給装置と、前記タンク内に貯蔵された前記還元剤の前駆体の残量を検出する還元剤残量検出装置と、前記エンジンの運転状態に応じて前記還元剤噴射供給装置を作動させる還元剤噴射制御と、前記還元剤残量検出装置により検出した前記還元剤の前駆体の残量が所定量以下になると警報を発する警告制御とを実行する第１制御装置とを備えた作業車両の排ガス後処理装置において、前記作業車両の車体の位置を検出するＧＰＳ装置と、前記ＧＰＳ装置により検出した車体の位置情報に基づいて、前記車体が排ガス規制地域にあるか否かを判定し、前記車体が排ガス規制地域にない場合は、前記第１制御装置による前記還元剤噴射制御及び前記警告制御を無効にする第２制御装置とを備え、前記作業車両は、前記複数の油圧アクチュエータによってそれぞれ駆動される下部走行体、上部旋回体及びフロント作業機を有する油圧ショベルであり、前記第１制御装置は、前記還元剤残量検出装置により検出した前記還元剤の前駆体の残量が所定量以下になると前記作業車両の前記複数の油圧アクチュエータのうち一部の油圧アクチュエータのみの動作を制限して前記フロント作業機の動作のみを禁止するとともに、前記エンジンの再始動を禁止する運転制限制御と、前記エンジン及び前記油圧システムが運転制限制御の状態にあることを警報する警告制御とを更に実行し、前記第２制御装置は、前記車体が排ガス規制地域にない場合は、前記第１制御装置による前記還元剤噴射制御及び警告制御と前記運転制限制御を無効にする。
【００１５】
これにより車体が排ガス規制地域にある場合は、還元剤の前駆体の残量が所定量以下になると、作業車両の複数の油圧アクチュエータのうち一部の油圧アクチュエータのみの動作制限を行うとともに、エンジンの再始動を禁止する運転制限制御と、エンジン及び油圧システムが運転制限制御の状態にあることを警報する警告制御とが実行されるため、オペレータに還元剤の前駆体の補充を強く促し、排ガス浄化に関するオペレータの怠慢を回避することができる。また、還元剤の前駆体の入手が困難である排ガス未規制地域に車体が移送された場合は、還元剤噴射制御、警告制御、運転制限制御等の排ガス浄化に係わる制御を停止させ、オペレータに快適な作業を行わせることができるとともに、運転制限制御の影響なく効率良く作業を行うことができる。
【００１７】
また、作業車両が油圧ショベルであり、その車体が排ガス規制地域にある場合は、還元剤の前駆体の残量が所定量以下になるとフロント作業機の動作を禁止する運転制限制御が実行されるため、オペレータに還元剤の前駆体の補充を強く促し、排ガス浄化に関するオペレータの怠慢を回避することができる。また、油圧ショベルの運転制限制御はフロント作業機だけであり、走行は動作可能であるため、オペレータは油圧ショベルを最寄りの還元剤の前駆体ステーションのある場所まで移動させ、還元剤の前駆体を補充することができる。また、還元剤の前駆体の入手が困難である排ガス未規制地域に車体が移送された場合は、還元剤噴射制御、警告制御、運転制限制御等の排ガス浄化に係わる制御を停止させ、オペレータに快適な作業を行わせることができるとともに、運転制限制御の影響なく効率良く作業を行うことができる。
【発明の効果】
【００１８】
本発明によれば、作業車両が排ガス規制地域と排ガス未規制地域を行き来する場合であっても、排ガス規制地域にあるときは還元剤噴射制御や警告制御等の排ガス浄化に係わる制御を適切に行わせ、尿素水溶液等の還元剤の前駆体が困難である排ガス未規制地域においてはそれらの制御を停止させ、オペレータに快適な作業を行わせることができる。
【００１９】
また、本発明によれば、車体が排ガス未規制地域にある場合でも、タンク内に還元剤の前駆体が存在する間は、還元剤噴射制御により還元触媒に供給された還元剤により排ガス中の窒素酸化物（ＮＯｘ）を還元浄化することができる。
【００２０】
更に、本発明によれば、車体が排ガス規制地域にある場合は、還元剤の前駆体の残量が所定量以下になると運転制限制御を実行して、オペレータに還元剤の前駆体の補充を強く促し、排ガス浄化に関するオペレータの怠慢を回避することができ、還元剤の前駆体の入手が困難である排ガス未規制地域に車体が移送された場合は、還元剤噴射制御、警告制御、運転制限制御等の排ガス浄化に係わる制御を停止させ、オペレータに快適な作業を行わせることができるとともに、運転制限制御の影響なく効率良く作業を行うことができる。
【００２１】
また、本発明によれば、作業車両が油圧ショベルであり、その車体が排ガス規制地域にある場合は、還元剤の前駆体の残量が所定量以下になるとフロント作業機の動作を禁止する運転制限制御を実行するため、オペレータに還元剤の前駆体の補充を強く促し、排ガス浄化に関するオペレータの怠慢を回避することができ、しかも、油圧ショベルの運転制限制御はフロント作業機だけであり、走行は動作可能であるため、オペレータは油圧ショベルを最寄りの還元剤の前駆体ステーションのある場所まで移動させ、還元剤の前駆体を補充することができる。また、還元剤の前駆体の入手が困難である排ガス未規制地域に車体が移送された場合は、還元剤噴射制御、警告制御、運転制限制御等の排ガス浄化に係わる制御を停止させ、オペレータに快適な作業を行わせることができるとともに、運転制限制御の影響なく効率良く作業を行うことができる。
【発明を実施するための最良の形態】
【００２２】
以下、本発明の実施の形態を図面を用いて説明する。
【００２３】
図１は本発明の第１の実施の形態に係わる作業車両の排ガス後処理装置の全体構成を示す図である。
【００２４】
図１において、本実施の形態に係わる作業車両は例えば建設機械の一例である油圧ショベルであり、この油圧ショベルは、電子ガバナ１ａ（電子制御式の燃料噴射制御装置）を備えたディーゼルエンジン（以下単にエンジンという）１を有している。エンジン１の目標回転数はエンジンコントロールダイヤル２により指令され、エンジン１の実回転数は回転数検出装置３により検出される。エンジンコントロールダイヤル２の指令信号及び回転数検出装置３の検出信号はコントローラ４２に入力され、コントローラ４２はその指令信号（目標回転数）と検出信号（実回転数）とに基づいて電子ガバナ１ａを制御し、エンジン１の回転数とトルクを制御する。また、エンジン１の始動停止指令装置としてキースイッチ５が設けられ、キースイッチ５の指令信号もコントローラ４２に入力され、コントローラ４はその指令信号に基づいてスタータ（始動装置）６と電子ガバナ１ａを制御し、エンジン１の始動及び停止を制御する。
【００２５】
また、油圧ショベルには作業用の駆動装置として油圧システムが搭載されており、この油圧システムは、エンジン１により駆動されるメインの油圧ポンプ１０，１１及びパイロットポンプ１２と、メインの油圧ポンプ１０，１１から吐出される圧油によって駆動される複数のアクチュエータ１３，１４（図示の便宜上２つのみ図示し他は省略）と、油圧ポンプ１０，１１から複数のアクチュエータ１３，１４に供給される圧油の流れ（流量と方向）を制御するパイロット操作式の複数の流量制御弁１５，１６（同）と、パイロットポンプ１２の油圧を元圧として流量制御弁１５，１６を操作するための制御パイロット圧を生成するリモコン弁１７，１８（同）とを備えている。リモコン弁１７，１８は運転席の左右に設けられた左右のコントロールレバー１９，２０により操作される。
【００２６】
図２は、油圧ショベルの外観を示す図である。油圧ショベルは下部走行体１００と上部旋回体１０１とフロント作業機１０２を備えている。下部走行体１００は左右のクローラ式走行装置１０３ａ，１０３ｂを有し、左右の走行モータ１０４ａ，１０４ｂにより駆動される。上部旋回体１０１は旋回モータ１０５により下部走行体１００上に旋回可能に搭載され、フロント作業機１０２は上部旋回体１０１の前部に俯仰可能に取り付けられている。上部旋回体１０１にはエンジンルーム１０６、キャビン（運転室）１０７が備えられ、エンジンルーム１０６にエンジン１が配置され、キャビン１０７内の運転席の左右にリモコン弁１７，１８を操作するためのコントロールレバー１９，２０が配置されている。また、キャビン１０７内の適所にエンジンコントロールダイヤル２、キースイッチ５が設置されている。
【００２７】
フロント作業機１０２はブーム１１１、アーム１１２、バケット１１３を有する多関節構造であり、ブーム１１１はブームシリンダ１１４の伸縮により上下方向に回動し、アーム１１２はアームシリンダ１１５の伸縮により上下、前後方向に回動し、バケット１１３はバケットシリンダ１１６の伸縮により上下、前後方向に回動する。
【００２８】
図１において、油圧アクチュエータ１３は、ブームシリンダ１１４、アームシリンダ１１５、バケットシリンダ１１６を代表したものであり、油圧アクチュエータ１４は左右の走行モータ１０４ａ，１０４ｂ及び旋回モータ１０５を代表したものである。
【００２９】
本実施の形態の排ガス後処理装置は上記のような作業車両（油圧ショベル）に設けられるものであり、その排ガス後処理装置は、エンジン１の排気系を構成する排気管３１に配置され、アンモニアを還元剤として排ガス中の窒素酸化物を還元浄化する還元触媒３２と、還元剤の前駆体である尿素水溶液を貯蔵するタンク３３と、タンク３３内に貯蔵された尿素水溶液を還元触媒３２に供給する還元剤噴射供給装置３４と、タンク３３内に貯蔵された尿素水溶液の残量を検出する還元剤残量検出装置３７と、タンク３３内に貯蔵された尿素水溶液の成分を検出する還元剤成分検出装置３８と、車体の状況（還元剤残量、還元剤成分、運転制限制御の有り無し等）をオペレータに知らせるための車体モニタ３９と、リモコン弁１７で生成した制御パイロット圧を流量制御弁１５に伝達する油圧ラインに設けられた電磁開閉弁４０と、コントローラ４２とを備えている。還元剤噴射供給装置３４はポンプを内蔵する還元剤供給装置３５と還元剤噴射弁３６とを有し、還元剤供給装置３５はタンク３３からの尿素水溶液を圧縮空気と共に還元剤噴射弁３６に供給し、還元剤噴射弁３６は、その尿素水溶液を排気管３１内を流れる排ガス中に噴霧する。また、還元剤供給装置３５は余剰流量をタンク３３に戻す。車体モニタ３９は、エンジンコントロールダイヤル２、キースイッチ５、コントロールレバー１９，２０とともに、キャビン（運転室）１０７に配置されている。電磁開閉弁４０は、通常は開位置にあり、コントローラ４２から制御信号が出力されると閉位置に切り換わる。
【００３０】
また、本実施の形態の排ガス後処理装置は、その特徴的構成として、油圧ショベルの車体（下部走行体１００と上部旋回体１０１）の位置を検出するＧＰＳ装置４３を備えている。還元剤残量検出装置３７、還元剤成分検出装置３８、ＧＰＳ装置４３からの信号はコントローラ４２に入力され、コントローラ４２は所定の演算処理を行い、還元剤噴射供給装置３４（還元剤供給装置３５と還元剤噴射弁３６）、車体モニタ３９、電磁開閉弁４０に制御信号を出力する。
【００３１】
図３はコントローラ４２の演算処理内容を示すフローチャートであり、図４は図３のフローチャートに示す動作内容を表形式で示す図である。
【００３２】
図３において、コントローラ４２は、まず、ステップＳ１００において、ＧＰＳ装置４３により検出した油圧ショベルの車体の位置情報に基づいて、当該車体が排ガス規制地域にあるか否かを判定し、車体が排ガス規制地域にあり場合はステップＳ１１０に進み、車体が排ガス規制地域にない場合はステップＳ１７０に進む。コントローラ４２の記憶部には、地球上の全ての国について、排ガス規制国か否かの情報とＧＰＳ位置情報とを含む国別データが記憶されており、コントローラはＧＰＳ装置４３によって検出した位置情報をそれらの国別データに参照し、油圧ショベルの車体が排ガス規制地域にあるか否かを判定する。
【００３３】
ステップＳ１１０では、還元剤成分検出装置３８の検出結果に基づいて、タンク３３内の液体が所定の濃度の尿素水溶液であるか否かを判定し、所定の濃度の尿素水溶液であればステップＳ１２０に進み、所定の濃度の尿素水溶液でなければステップＳ１６０に進む。
【００３４】
ステップＳ１２０では、還元剤残量検出装置３７により検出したタンク３３内の尿素水溶液の残量が第２所定量以上であるか否かを判定し、第２所定量以上であればステップＳ１４０に進み、第２所定量以上でなければステップＳ１３０に進む。ここで、タンク３３が例えば容量５０Ｌのタンクであるとした場合、第２所定量は例えば５Ｌである。
【００３５】
ステップＳ１３０では、還元剤残量検出装置３７により検出したタンク３３内の尿素水溶液の残量が第２所定量よりも少ない第３所定量以上であるか否かを判定し、第３所定量以上であればステップＳ１５０に進み、第３所定量以上でなければステップＳ１６０に進む。ここで、タンク３３が例えば上記のように容量５０Ｌのタンクであるとした場合、第３所定量は例えば３Ｌである。
【００３６】
ステップＳ１４０では動作Ｉの処理を選択し、ステップＳ１５０では動作ＩＩの処理を選択し、ステップＳ１６０では動作ＩＩＩの処理を選択し、ステップＳ１７０では動作ＩＶの処理を選択する。動作Ｉの処理では図４の（Ａ）−（ａ）に示される制御を行い、動作ＩＩの処理では図４の（Ｂ）−（ａ）に示される制御を行い、動作ＩＩＩの処理では図４の（Ｃ）−（ａ）に示される制御を行い、動作ＩＶの処理では図４の（Ａ）−（ｂ）、（Ｂ）−（ｂ）、（Ｃ）−（ｂ）に示される制御を行う。
【００３７】
図４の（Ａ）−（ａ）に示す制御（動作Ｉの処理）では、尿素水噴射制御を通常作動とし、かつエンジン及び油圧システムを通常作動とし、モニタ警告を無しとする。尿素噴射制御の通常動作では、エンジン１の運転状態（例えば回転速度及び燃料噴射量等）に応じて排ガス中のＮＯｘを還元浄化するのに必要な尿素量を求め、その尿素量が供給されるよう還元剤噴射供給装置３４の還元剤供給装置３５と還元剤噴射弁３６とを作動させる。
【００３８】
図４の（Ｂ）−（ａ）に示す制御（動作ＩＩの処理）では、尿素水噴射制御を通常作動とし、かつエンジン及び油圧システムを通常作動とし、モニタ警告を有りとする。モニタ警告有りの動作では、車体モニタ３９に、タンク３３内の尿素水溶液の残量が第２所定量（例えば５Ｌ）より少なくなったことと、尿素水溶液の補充を促す旨の警告を表示する。また、そのまま油圧ショベルの運転を継続し、タンク３３内の尿素水溶液の残量が第３所定量（例えば３Ｌ）より少なくなると、エンジン１及び油圧システムの運転制限制御が実行される旨の警告を表示する。その後、タンク３３内に尿素水溶液が補充され、尿素水溶液の残量が第１所定量（＞第２所定量）以上になると、モニタ警告を解除する。ここで、タンク３３が例えば容量５０Ｌのタンクであるとした場合、第２所定量は例えば４５Ｌである。
【００３９】
図４の（Ｃ）−（ａ）に示す制御（動作ＩＩＩの処理）では、尿素水噴射制御を不作動とし、かつエンジン１及び油圧システムの運転制限制御を行い、モニタ警告を有りとする。本実施の形態では、エンジン１の運転制限制御として、エンジン１を再始動を不可（エンジン１を一旦停止した後の再始動禁止）とし、油圧システムの運転制限制御として、油圧システムのフロント動作禁止（移動及び避難のため走行／旋回は動作可）とする。エンジン１の再始動不可の運転制限制御では、キースイッチ５の指令信号に基づくスタータ（始動装置）６と電子ガバナ１ａの制御を不能とする。油圧システムのフロント動作禁止の運転制限制御では、電磁開閉弁４０に制御信号を送り、電磁開閉弁４０を開位置から閉位置に切り換える。前述したように、油圧アクチュエータ１３は、ブームシリンダ１１４、アームシリンダ１１５、バケットシリンダ１１６を代表したものであり、電磁開閉弁４０を閉位置に切り換えることによりリモコン弁１７からの制御パイロット圧は流量制御弁１５には伝達されず、ブームシリンダ１１４、アームシリンダ１１５、バケットシリンダ１１６の動作（すなわちフロント作業機１０２の動作）が不可となる。モニタ警告有りの動作では、車体モニタ３９に、タンク３３内の尿素水溶液の残量が第３所定量（例えば３Ｌ）より少なくなったことと、尿素水溶液の補充を促す旨の警告を表示する。また、タンク３３内の尿素水溶液の残量が第３所定量（例えば３Ｌ）より少なくなったため、エンジン１及び油圧システムが運転制限制御状態である旨の警告を表示する。その後、タンク３３内に尿素水溶液が補充され、尿素水溶液の残量が第１所定量（例えば４５Ｌ）以上になると、エンジン１及び油圧システムの運転制限制御とモニタ警告を解除する。
【００４０】
図４の（Ａ）−（ｂ）、（Ｂ）−（ｂ）、（Ｃ）−（ｂ）に示す制御（動作ＩＶの処理）では、尿素水噴射制御を不作動とし、かつエンジン及び油圧システムを通常作動とし、モニタ警告を無しとする。
【００４１】
ここで、図４の（Ａ）−（ｂ）の動作で尿素水噴射制御を不作動とすることは、排ガス規制地域では実行されていた尿素水噴射制御を無効とすることを意味し、図４の（Ｂ）−（ｂ）の動作でモニタ警告を無しとすることは、排ガス規制地域では実行されていたモニタ警告制御を無効とすることを意味し、図４の（Ｃ）−（ｂ）の動作でエンジン及び油圧システムを通常作動とし、モニタ警告を無しとすることは、排ガス規制地域では実行されていたエンジン及び油圧システムの運転制限制御とモニタ警告制御を無効とすることを意味する。
【００４２】
以上において、コントローラ４２のステップＳ１１０〜Ｓ１３０の処理機能及びステップＳ１４０の（Ａ）−（ａ）及びステップＳ１５０の（Ｂ）−（ａ）の処理機能は、エンジン１の運転状態に応じて還元剤噴射供給装置３４を作動させる還元剤噴射制御と、還元剤残量検出装置３７により検出した還元剤の前駆体（尿素水溶液）の残量が所定量以下になると警報を発する警告制御とを実行する第１制御装置を構成し、コントローラ４２のステップＳ１００の処理機能及びステップＳ１７０の（Ａ）−（ｂ）及び（Ｂ）−（ｂ）の処理機能は、ＧＰＳ装置４３により検出した車体の位置情報に基づいて、車体が排ガス規制地域にあるか否かを判定し、車体が排ガス規制地域にない場合は、上記第１制御装置による還元剤噴射制御及び前記警告制御を無効にする第２制御装置を構成する。
【００４３】
また、コントローラ４２のステップＳ１３０の処理機能及びステップＳ１６０の（Ｃ）−（ａ）の処理機能は上記第１制御装置の一部を構成し、還元剤残量検出装置３７により検出した還元剤の前駆体の残量が所定量以下になると作業車両の複数の油圧アクチュエータのうち一部の油圧アクチュエータのみの動作制限を行うとともに、エンジン１の再始動を禁止する運転制限制御とエンジン１及び油圧システムが運転制限制御の状態にあることを警報する警告制御を更に実行する。コントローラ４２のステップＳ１００の処理機能及びステップＳ１７０の（Ｃ）−（ｂ）の処理機能は上記第２制御装置の一部を構成し、車体が排ガス規制地域にない場合は、上記第１制御装置による還元剤噴射制御及び警告制御と運転制限制御を無効にする。
【００４４】
次に、以上のように構成した本実施の形態の動作を説明する。
【００４５】
まず、油圧ショベルが日本、米国等の排ガス規制地域で稼動する場合について説明する。油圧ショベルが日本、米国等の排ガス規制地域にありかつタンク３３内の液体が所定の濃度の尿素水溶液である場合は、コントローラ４２はＧＰＳ装置４３により検出した油圧ショベルの車体の位置情報に基づいて、油圧ショベルの車体が排ガス規制地域にあると判定し、かつ還元剤成分検出装置３８の検出結果に基づいて、タンク３３内の液体が所定の濃度の尿素水溶液であると判定し、更に、還元剤残量検出装置３７により検出したタンク３３内の尿素水溶液の残量が第２所定量以上或いは第３所定量以上であるか否かを判定する。
【００４６】
ここで、もし、タンク３３内に尿素水溶液が十分にある場合は、コントローラ４２はタンク３３内の尿素水溶液の残量は第２所定量以上であると判定し、動作Ｉの処理を選択する。この動作Ｉの処理では、コントローラ４２は尿素水噴射制御を通常作動とし、かつエンジン及び油圧システムを通常作動とし、モニタ警告を無しとする。これにより還元剤噴射供給装置３４により排気管３１内に尿素水溶液が噴射され、この尿素水溶液は排気ガスによって加熱され、加水分解し、アンモニアを発生する。そして、このアンモニアを還元剤として還元触媒３２により排ガス中の窒素酸化物（ＮＯｘ）が還元浄化される。
【００４７】
タンク３３内の尿素水溶液の消費が進み、タンク３３内の尿素水溶液の残量が第２所定量より少なくなると、コントローラ４２は、動作ＩＩの処理を選択する。この動作ＩＩの処理では、コントローラ４２は尿素水噴射制御を通常作動とし、かつエンジン及び油圧システムを通常作動とし、モニタ警告を有りとする。これにより車体モニタ３９に、タンク３３内の尿素水溶液の残量が第２所定量（例えば５Ｌ）より少なくなったことと、尿素水溶液の補充を促す旨の警告、及びそのまま油圧ショベルの運転を継続し、タンク３３内の尿素水溶液の残量が第３所定量（例えば３Ｌ）より少なくなると、エンジン１及び油圧システムの運転制限制御が実行される旨の警告が表示される。オペレータは、車体モニタ３９にそのような警告が表示されると、直ちに油圧ショベルの運転を中断し、タンク３３内に尿素水溶液を補充する作業を行う必要がある。この場合、補充用の尿素水溶液が作業現場にない場合は、最寄りの尿素水ステーションのある場所まで油圧ショベルを移動させる。タンク３３内に尿素水溶液が補充され、尿素水溶液の残量が第１所定量（＞第２所定量）以上になると、モニタ警告は解除される。
【００４８】
タンク３３内の尿素水溶液の残量が第２所定量（例えば５Ｌ）より少なくなり、車体モニタ３９に警告が表示された後、タンク３３内の尿素水溶液の消費が更に進み、タンク３３内の尿素水溶液の残量が第３所定量より少なくなると、コントローラ４２は、動作ＩＩＩの処理を選択する。この動作ＩＩＩの処理では、コントローラ４２は尿素水噴射制御を不作動とし、かつエンジン１及び油圧システムの運転制限制御を行い、モニタ警告を有りとする。これにより油圧ショベルは、エンジン１の再始動不可（エンジン１を一旦停止した後は再始動禁止）の状態でかつ油圧システムのフロント動作禁止の状態となる。また、車体モニタ３９に、タンク３３内の尿素水溶液の残量が第３所定量（例えば３Ｌ）より少なくなったことと、尿素水溶液の補充を促す旨の警告、及びタンク３３内の尿素水溶液の残量が第３所定量（例えば３Ｌ）より少なくなったため、エンジン１及び油圧システムが運転制限制御状態である旨を表示する。このようにエンジン１及び油圧システムの運転制限制御を行うことにより、オペレータに尿素水溶液の補充を強く促し、排ガス浄化に関するオペレータの怠慢を回避することができる。また、油圧ショベルの油圧システムに関する動作制限はフロント動作だけであり、走行は動作可能であるため、オペレータは油圧ショベルを最寄りの尿素水溶液ステーションのある場所まで移動させ、タンク３３内に尿素水溶液を補充することができる。タンク３３内に尿素水溶液が補充され、尿素水溶液の残量が第１所定量（例えば４５Ｌ）以上になると、エンジン１及び油圧システムの運転制限制御とモニタ警告制御は解除される。
【００４９】
次に、上記と同じ油圧ショベルを、例えば中古品として、排ガス未規制地域に移送した場合について説明する。
【００５０】
油圧ショベルが排ガス未規制地域にある場合は、コントローラ４２はＧＰＳ装置４３により検出した油圧ショベルの車体の位置情報に基づいて、油圧ショベルの車体が排ガス未規制地域にあると判定し、動作ＩＶの処理を選択する。この動作ＩＶの処理では、還元剤成分検出装置３８及び還元剤残量検出装置３７の検出結果に係わらず、尿素水噴射制御を不作動とし、かつエンジン及び油圧システムを通常作動とし、モニタ警告を無しとする。これにより排ガス未規制地域において尿素水溶液の入手が困難で、尿素水溶液を補充できない状況下において、尿素水噴射制御が実行されたり、モニタ警告制御やエンジン１及び油圧システムの運転制限制御が実行されたりすることを回避し、オペレータは警告に煩わされることなく快適に作業を行うことができるとともに、運転制限制御の影響を受けることなく効率良く作業を行うことができる。
【００５１】
油圧ショベルを例えば中古品として排ガス未規制地域に移送した後、再び再中古品として排ガス規制地域に移送した場合は、コントローラ４２はＧＰＳ装置４３により検出した油圧ショベルの車体の位置情報に基づいて、油圧ショベルの車体が再び排ガス規制地域にあると判定し、前述した油圧ショベルが日本、米国等の排ガス規制地域で稼動する場合と同様の処理が行われ、アンモニアを還元剤として還元触媒３２により排ガス中の窒素酸化物（ＮＯｘ）が還元浄化することができる。
【００５２】
以上のように本実施の形態によれば、作業車両（油圧ショベル）が排ガス規制地域と排ガス未規制地域を行き来する場合であっても、排ガス規制地域にあるときは還元剤噴射供給制御、警告制御、運転制限制御（排ガス浄化に係わる制御）を適切に行わせ、尿素水溶液の入手が困難である排ガス未規制地域に移送されたときはそれらの制御を停止させることができる。その結果オペレータは、尿素水溶液の入手が困難である排ガス未規制地域において、警告に煩わされることなく快適に作業を行うことができる。また、運転制限制御の影響を受けることなく効率良く作業を行うことができる。
【００５３】
また、作業車両（油圧ショベル）が排ガス規制地域にある場合は、尿素水溶液の残量が所定量以下になるとフロント作業機１０２の動作を禁止する運転制限制御を実行するため、オペレータに尿素水溶液の補充を強く促し、排ガス浄化に関するオペレータの怠慢を回避することができ、しかも、油圧ショベルの運転制限制御はフロント作業機１０２だけであり、走行は動作可能であるため、オペレータは油圧ショベルを最寄りの還元剤の要素水溶液ステーションのある場所まで移動させ、尿素水溶液を補充することができる。
【００５４】
本発明の第２の実施の形態を図５及び図６により説明する。
【００５５】
図５は本実施の形態に係わるコントローラ４２（図１参照）の演算処理内容を示すフローチャートであり、図６は図５のフローチャートに示す動作内容を表形式で示す図である。図５中、図３に示す部分と同等の部分には同じ符号を付している。
【００５６】
図５において、ステップＳ１００〜Ｓ１６０の処理内容は第１の実施の形態における図３に示すフローチャートのステップＳ１００〜Ｓ１６０の処理内容と同じであり、ステップＳ１７０Ａの処理内容（動作ＩＶの処理）が図３に示すフローチャートのステップＳ１７０の処理内容（動作ＩＶの処理）と異なっている。
【００５７】
ステップＳ１７０Ａの動作ＩＶの処理では図６の（Ａ）−（ｂ）、（Ｂ）−（ｂ）、（Ｃ）−（ｂ）、（Ｄ）−（ｂ）に示される制御を行う。
【００５８】
図６の（Ａ）−（ｂ）、（Ｂ）−（ｂ）、（Ｃ）−（ｂ）に示す制御は、還元剤残量検出装置３７により検出したタンク３３内の尿素水溶液の残量がゼロになるまでの間の制御であり、タンク３３内の尿素水溶液の残量がゼロになるまでは、尿素水噴射制御を通常作動とし、かつエンジン及び油圧システムを通常作動とし、モニタ警告を無しとする。図６の（Ｄ）−（ｂ）の制御は、還元剤残量検出装置３７により検出したタンク３３内の尿素水溶液の残量がゼロになった後の制御であり、タンク３３内の尿素水溶液の残量がゼロになると、尿素水噴射制御を不作動とし、かつエンジン及び油圧システムを通常作動とする。また、モニタ警告を無しとする。ここで、図６の（Ｂ）−（ｂ）及び（Ｃ）−（ｂ）の動作でモニタ警告を無しとすることは、排ガス規制地域では実行されていたモニタ警告制御を無効とすることを意味し、図６の（Ｃ）−（ｂ）の動作でエンジン及び油圧システムを通常作動とすることは、排ガス規制地域では実行されていたエンジン及び油圧システムの運転制限制御を無効とすることを意味する。また、図６の（Ｄ）−（ｂ）の動作で尿素水噴射制御を不作動とすることは、車体が排ガス規制地域にない場合は、還元剤残量検出装置３７により検出した尿素水溶液の残量がゼロになった後に、排ガス規制地域では実行されていた尿素水噴射制御を無効とすることを意味する。
【００５９】
以上において、コントローラ４２のステップＳ１１０〜Ｓ１３０の処理機能及びステップＳ１４０の（Ａ）−（ａ）及びステップＳ１５０の（Ｂ）−（ａ）の処理機能は、エンジン１の運転状態に応じて還元剤噴射供給装置３４を作動させる還元剤噴射制御と、還元剤残量検出装置３７により検出した還元剤の前駆体（尿素水溶液）の残量が所定量以下になると警報を発する警告制御とを実行する第１制御装置を構成し、コントローラ４２のステップＳ１００の処理機能及びステップＳ１７０Ａの（Ａ）−（ｂ）、（Ｂ）−（ｂ）、（Ｃ）−（ｂ）及び（Ｄ）−（ｂ）の処理機能は、ＧＰＳ装置４３により検出した車体の位置情報に基づいて、車体が排ガス規制地域にあるか否かを判定し、車体が排ガス規制地域にない場合は、上記第１制御装置による還元剤噴射制御及び前記警告制御を無効にする第２制御装置を構成する。
【００６０】
また、コントローラ４２のステップＳ１３０の処理及びステップＳ１６０の（Ｃ）−（ａ）の処理機能は上記第１制御装置の一部を構成し、還元剤残量検出装置３７により検出した還元剤の前駆体の残量が所定量以下になると作業車両の複数の油圧アクチュエータのうち一部の油圧アクチュエータのみの動作制限を行うとともに、エンジン１の再始動を禁止する運転制限制御とエンジン１及び油圧システムが運転制限制御の状態にあることを警報する警告制御を更に実行する。コントローラ４２のステップＳ１００の処理機能及びステップＳ１７０Ａの（Ｃ）−（ｂ）の処理機能は上記第２制御装置の一部を構成し、（Ｄ）−（ｂ）の処理機能と共に、車体が排ガス規制地域にない場合は、上記第１制御装置による還元剤噴射制御及び警告制御と運転制限制御を無効にする。
【００６１】
更に、上記第２制御装置は、ステップＳ１７０Ａの（Ｄ）−（ｂ）の処理機能において、車体が排ガス規制地域にない場合は、還元剤残量検出装置３７により検出した還元剤の前駆体の残量がゼロになった後に上記第１制御装置による還元剤噴射制御を無効にする。
【００６２】
以上のように構成した本実施の形態によれば、車体が排ガス未規制地域にある場合でも、タンク３３内に尿素水溶液が存在する間は、尿素水噴射制御によりアンモニアを還元剤として還元触媒３２により排ガス中の窒素酸化物（ＮＯｘ）が還元浄化することができる。また、車体が排ガス未規制地域にある場合はンク３３内の尿素水溶液の残量がゼロになった後は還元剤噴射制御、警告制御、運転制限制御の全ての制御を停止させるため、警告や運転制限の影響を受けることなく快適で効率の良い作業を行うことができるなど、第１の実施の形態と同様の効果が得られる。
【００６３】
なお、以上の実施の形態では、還元剤がアンモニアであり、その前駆体が尿素水溶液である場合について説明したが、アンモニア以外の還元剤であってもよいし、還元剤がアンモニアである場合でも、アンモニア水溶液等、尿素水溶液以外の前駆体であってもよい。
【００６４】
また、排ガス未規制地域にあっても、尿素水溶液（還元剤の前駆体）の入手が可能である場合は、還元剤噴射制御、警告制御、運転制限制御等の排ガス浄化に係わる制御を行うことが好ましい。このような目的で、本発明の第２制御の機能の有効、無効を選択するためのスイッチ（手動操作手段）を設けてもよく、これにより排ガス未規制地域にあっても、尿素水溶液（還元剤の前駆体）の入手が可能である場合は、スイッチのＯＮ／ＯＦＦにより第２制御装置の機能を無効にし、第１制御装置により排ガス浄化に係わる制御を行うことができる。
【図面の簡単な説明】
【００６５】
【図１】本発明の第１の実施の形態に係わる作業車両の排ガス後処理装置の全体構成を示す図である。
【図２】本発明が適用される作業車両の一例である油圧ショベルの外観を示す図である。
【図３】コントローラの演算処理内容を示すフローチャートである。
【図４】図３のフローチャートに示す動作内容を表形式で示す図である。
【図５】本発明の第２の実施の形態に係わるコントローラの演算処理内容を示すフローチャートである。
【図６】図５のフローチャートに示す動作内容を表形式で示す図である。
【符号の説明】
【００６６】
１ ディーゼルエンジン（エンジン）
１ａ 電子ガバナ（電子制御式の燃料噴射制御装置）
２ エンジンコントロールダイヤル
３ 回転数検出装置
５ キースイッチ
６ スタータ（始動装置）
１０，１１ メインの油圧ポンプ
１２ パイロットポンプ
１３，１４ アクチュエータ
１５，１６ 流量制御弁
１７，１８ リモコン弁
１９，２０ コントロールレバー
３１ 排気管
３２ 還元触媒
３３ タンク
３４ 還元剤噴射供給装置
３５ 還元剤供給装置
３６ 還元剤噴射弁
３７ 還元剤残量検出装置
３８ 還元剤成分検出装置
３９ 車体モニタ
４０ 電磁開閉弁
４２ コントローラ
４３ ＧＰＳ装置
１００ 下部走行体
１０１ 上部旋回体
１０２ フロント作業機
１０３ａ，１０３ｂ クローラ式走行装置
１０４ａ，１０４ｂ 走行モータ
１０５ 旋回モータ
１０７ キャビン（運転室）
１１１ ブーム
１１２ アーム
１１３ バケット
１１４ ブームシリンダ
１１５ アームシリンダ
１１６ バケットシリンダ
【図１】
0004852024.tif 000002
【図２】
0004852024.tif 000003
【図３】
0004852024.tif 000004
【図４】
0004852024.tif 000005
【図５】
0004852024.tif 000006
【図６】
0004852024.tif 000007